(57)【要約】      （修正有）【課題】従来のＤＯＳ／Ｖ日本語キーボードは、カナ入力に切り替えるためには、初心者にはわかりにくい特殊キー２つを組み合わせて押して切り替える方法しかなかった。【解決手段】カナ入力に切り替えるのを「Ａｌｔ」キーと「カタカナ、ひらがな、ローマ字」キーを併用して切り替える機能を前提として、普通のコンピュータのＤＯＳ／Ｖ日本語キーボードの左右に２つある「Ａｌｔ」キーの内、右側の「Ａｌｔ」キーの回路の接触端子をその隣にある「カタカナ、ひらがな、ローマ字」キーの下にその接触端子と並べて設置して、つまり、「Ａｌｔ」キーを左側の１つにして右側のもうひとつの「Ａｌｔ」キーは事実上「カタカナ、ひらがな、ローマ字」キーと統合させて「カタカナ、ひらがな、ローマ字」キー１つを押せばカナ入力に切り替わるような構造にして、その構造にした際、従来の「カタカナ、ひらがな、ローマ字」キーにあった他のキーと組み合わせて押すことで実行していた指示の機能を果たすためのこのキーの役割に関してや、従来のカナ入力への切り替え方法を知る人がこの統合後の「カタカナ、ひらがな、ローマ字」キーともうひとつの「Ａｌｔ」キーを重ねて押してしまった場合のその際の対処方法をどうするかという課題に関してキーボードのキーが押されることによって伝わってくる信号をデジタル処理でコンピュータが理解できる信号に変換する役割を持つキーボード内のマイクロプロセッサを含む回路のプログラムと配線のルートの設計を、「Ａｌｔ」キーが重ねて押されたり「Ａｌｔ」キーが余分に押されたりしてもその際の指示の機能を果たせるように、従来型のＤＯＳ／Ｖ日本語キーボードのその設計とは違った設計にして、上記の「カタカナ、ひらがな、ローマ字」キー１つを押しただけでカナ入力に切り替えられる機能を実現するための課題を克服し「カタカナ、ひらがな、ローマ字」キー１つを押せばカナ入力に切り替わるようにする。【選択図】図１
2006338634.tif 000002
【特許請求の範囲】
【請求項１】
ロールアップ式キーボードの機能をそのままにその一部を改造し手書きパッドを設置し、手書き入力と従来型のロールアップ式キーボードのキーをタイプする入力方法を両立したキーボード。その実現のために、ロールアップ式キーボードのテンキー部分を上下に分割し、上のテンキー部分を跳ね上げ式にして、その下の部分を手書き入力が出来る手書きパッドにする。従来型のロールアップキーボードの付属しているパーソナルコンピューターのオペレーティングシステムでこのキーボードでの手書き入力が可能になるように、まず、キーボード内にプロセッサーとメモリを搭載し、手書き入力したデータを、プロセッサーとメモリの機能により、従来型のキーボードを利用した入力作業の際、従来型のキーボードから従来型のオペレーティングシステムに送られるシグナルと同様のシグナルに、オペレーティングシステムに送る前にあらかじめ変換しておく方式をとる。このあらかじめ変換されたシグナルをオペレーティングシステム側に送り、ディスプレーに表示された文字を見て、手書き入力の際は、後に、手書きパッドについている変換キーで変換作業を行う。上記のキーボードに搭載されたプロセッサーには、キーボード内の全般の処理を担当してもらう。上記におけるプロセッサーの役割は、メモリに蓄えられた、ワードプロセッサー機能を実行するために必要な情報に従ってあらかじめ手書き入力されたデータを、従来型のパーソナルコンピューターのオペレーティングシステムが理解できる従来型のキーボードのキーを打った際に発せられるシグナルに変換する処理であり、メモリの役割は前出の通りである。
【発明の詳細な説明】
【技術分野】
【０００１】本発明は、従来のロールアップ式キーボードは、キータイプ入力しか出来なかったが、その機能はそのままにその一部を改造し、手書き入力用パッドを設置して、手書き入力が出来るようにしたキーボードに関する。
【背景技術】
【０００２】現在、パーソナルコンピューターの入力方法は、３種類ある。１、ロールアップ式キータイプ入力、２、文字認識入力、３、音声認識入力である。このうち本発明に関わる文字認識入力は、タブレットＰＣと携帯用情報ツール（ＰＤＡ）において採用されている。この入力方法を、１、のロールアップ式キーボードでも実現するため、そのロールアップ式キーボードの入力機能はそのままに、そのキーボードの一部を改造して、手書き入力もできるようにする。
【発明の開示】
【発明が解決しようとする課題】
【０００３】従来型のロールアップ式キーボードでは、場合によっては、負担のかかるキータイプ式入力しかできなかった。【０００４】本発明のキーボードは、その課題を解決しようとするものであり、ロールアップ式キーボードの一部を改造して、手書き入力を可能にし入力方法の柔軟化を図るものである。
【課題を解決するための手段】
【０００５】本発明のキーボードでは、従来型のロールアップ式キーボードの機能はそのままに、その一部を改造して手書き入力をできるようにする。その実現のため、従来型のロールアップ式キーボードのテンキー部分を上下に分割し上の部分のテンキーの部分を跳ね上げ式にして下の部分を手書き入力用パッドにする。【０００６】跳ね上げ式のテンキー部分の裏面には、手暗がりを防ぐため、ライトを設置する。【０００７】従来型のキーボードが付いたパーソナルコンピューターのオペレーティングシステムでも手書き入力が出来るように、まず、改造するキーボード内にプロセッサーとメモリを搭載しその機能により、手書き入力したデータを、オペレーティングシステムにシグナルを送る前に、メモリに蓄えられた、文字、数字、記号の手書きする字体のデータと従来型のパーソナルコンピューターのキーボードで上記の文字、数字、記号のキーを打った際にオペレーティングシステム側に送られるシグナルのデータの両方を利用して、プロセッサーにより従来型のキーボードのついたパーソナルコンピューターのキーボードとオペレーティングシステムの間でやり取りされるシグナルに、あらかじめ変換しておき、後に手書き入力用パッドについている変換キーを使って、従来型のキーボードのように変換作業を行う方式とする。
【発明の効果】
【０００８】このキーボードの手書き入力用パッドは、おまけのようなものだが、従来なら場合によってはストレスのかかるロールアップ式キーボードのキータイプ入力しか出来なかったのが、このキーボードでは、タブレットＰＣなどより変換作業の手間はかかるが、入力自体は、従来のロールアップ式キーボードの機能をそのままに、別に手書き入力も出来、多少は、入力方法に柔軟性が持てるようになる。
【発明を実施する最良の形態】
【０００９】以下、本発明の実施の形態を図１、図２に基づいて説明する。
【００１０】図１は２のテンキー部分が閉じた状態のロールアップ式キーボードである。この状態では、キータイプ入力を行う。
【００１１】図２は２のテンキー部分が跳ね上がり、３の手書き入力用パッドが表れている状態のロールアップ式キーボードである。手書き入力をする際はこの状態で使用する。手書き入力をする際に手暗がりにならないように、テンキー部分の裏面に４のライトを設置する
【００１２】このキーボードでは、プロセッサーとメモリを搭載する。このプロセッサーとメモリは、キーボード内の全般の処理と従来型のキーボードのついたパーソナルコンピューターのオペレーティングシステムで手書き入力を可能にするための前出の処理を行う。
【図面の簡単な説明】
【００１３】
【図１】テンキー部分跳ね上げ式のテンキー部分が閉じた状態の手書き入力用パッド付ロールアップ式キーボード
【図２】テンキー部分跳ね上げ式のテンキー部分が上がった状態の手書き入力用パッド付ロールアップ式キーボード
【符号の説明】
【００１４】１  手書き入力用パッド付ロールアップ式キーボード
２  テンキー部分
３  手書き入力用パッド
４  ライト
５  プロセッサー
６  メモリ
７  スタイラスペン
【図１】
2006338634.tif 000003
【図２】
2006338634.tif 000004
【手続補正書】
【提出日】平成17年12月9日(2005.12.9)
【手続補正１】
【補正対象書類名】特許請求の範囲
【補正対象項目名】全文
【補正方法】変更
【補正の内容】
【特許請求の範囲】
【請求項１】
カナ入力に切り替えるのを「Ａｌｔ」キーと「カタカナ、ひらがな、ローマ字」キーを併用して切り替える機能を前提として、普通のコンピュータのＤＯＳ／Ｖ日本語キーボードの左右に２つある「Ａｌｔ」キーの内、右側の「Ａｌｔ」キーの回路の接触端子をその隣にある「カタカナ、ひらがな、ローマ字」キーの下にその接触端子と並べて設置して、つまり、「Ａｌｔ」キーを左側の１つにして右側のもうひとつの「Ａｌｔ」キーは事実上「カタカナ、ひらがな、ローマ字」キーと統合させて「カタカナ、ひらがな、ローマ字」キー１つを押せばカナ入力に切り替わるような構造にして、その構造にした際、従来の「カタカナ、ひらがな、ローマ字」キーにあった他のキーと組み合わせて押すことで実行していた指示の機能を果たすためのこのキーの役割に関してや、従来のカナ入力への切り替え方法を知る人がこの統合後の「カタカナ、ひらがな、ローマ字」キーともうひとつの「Ａｌｔ」キーを重ねて押してしまった場合のその際の対処方法をどうするかという課題に関してキーボードのキーが押されることによって伝わってくる信号をデジタル処理でコンピュータが理解できる信号に変換する役割を持つキーボード内のマイクロプロセッサを含む回路のプログラムと配線のルートの設計を、「Ａｌｔ」キーが重ねて押されたり「Ａｌｔ」キーが余分に押されたりしてもその際の指示の機能を果たせるように、従来型のＤＯＳ／Ｖ日本語キーボードのその設計とは違った設計にして、上記の「カタカナ、ひらがな、ローマ字」キー１つを押しただけでカナ入力に切り替えられる機能を実現するための課題を克服し「カタカナ、ひらがな、ローマ字」キー１つを押せばカナ入力に切り替わるようにしたコンピュータのＤＯＳ／Ｖ日本語キーボード。
【手続補正２】
【補正対象書類名】明細書
【補正対象項目名】全文
【補正方法】変更
【補正の内容】
【発明の詳細な説明】
【技術分野】
【０００１】従来型のＤＯＳ／Ｖ日本語キーボードの、キー配置の一部とキーボードの回路と配線の一部を変更して、「カタカナ、ひらがな、ローマ字」キー１つを押しただけでカナ入力に切り替わるようにしたコンピュータのＤＯＳ／Ｖ日本語キーボードに関する。
【背景技術】
【０００２】従来型のＤＯＳ／Ｖ日本語キーボードは、カナ入力に切り替えるのには、特殊キー２つを組み合わせて押して切り替える方法であった。
【非特許文献】「富士通ＦＭＶ  ＢＩＢＬＯ  ２００５年秋冬モデルカタログ」富士通株式会社  ２００５年ｐ．１１、ｐ．１３
【非特許文献】「ブルーバックス  最新情報科学用語小辞典」講談社  ｐ．４８
【発明の開示】
【発明が解決しようとする課題】
【０００３】従来型のＤＯＳ／Ｖ日本語キーボードでは、カナ入力に切り替えるのには、特殊キー２つを組み合わせて押して切り替える、コンピュータの初心者にはわかりにくい方法であった。【０００４】本発明はこのような課題を解決するものであり、従来のＤＯＳ／Ｖ日本語キーボードの一部のキー配置とキーボードの回路と配線の一部を変更して「カタカナ、ひらがな、ローマ字」キー１つを押しただけでカナ入力に切り替わることを実現し、コンピュータの初心者にもわかりやすいカナ入力への切り替え方法を提示するものである。
【課題を解決するための手段】
【０００５】カナ入力に切り替えるのを「Ａｌｔ」キーと「カタカナ、ひらがな、ローマ字」キーを併用して切り替える機能を前提として、普通のコンピュータのＤＯＳ／Ｖ日本語キーボードの左右に２つある「Ａｌｔ」キーの内、右側の「Ａｌｔ」キーの回路の接触端子をその隣にある「カタカナ、ひらがな、ローマ字」キーの下にその接触端子と並べて設置して、つまり、「Ａｌｔ」キーを左側の１つにして右側のもうひとつの「Ａｌｔ」キーは事実上「カタカナ、ひらがな、ローマ字」キーと統合させて「カタカナ、ひらがな、ローマ字」キー１つを押せばカナ入力に切り替わるような構造にして、その構造にした際、従来の「カタカナ、ひらがな、ローマ字」キーにあった他のキーと組み合わせて押すことで実行していた指示の機能を果たすためのこのキーの役割に関してや、従来のカナ入力への切り替え方法を知る人がこの統合後の「カタカナ、ひらがな、ローマ字」キーともうひとつの「Ａｌｔ」キーを重ねて押してしまった場合のその際の対処方法をどうするかという課題に関してキーボードのキーが押されることによって伝わってくる信号をデジタル処理でコンピュータが理解できる信号に変換する役割を持つキーボード内のマイクロプロセッサを含む回路のプログラムと配線のルートの設計を、「Ａｌｔ」キーが重ねて押されたり「Ａｌｔ」キーが余分に押されたりしてもその際の指示の機能を果たせるように、従来型のＤＯＳ／Ｖ日本語キーボードのその設計とは違った設計にして、上記の「カタカナ、ひらがな、ローマ字」キー１つを押しただけでカナ入力に切り替えられる機能を実現するための課題を克服し「カタカナ、ひらがな、ローマ字」キー１つを押せばカナ入力に切り替わるようにする。
【発明の効果】
【０００６】従来型のＤＯＳ／Ｖ日本語キーボードは、カナ入力に切り替えるためには、特殊キー２つを押して切り替えるというコンピュータの初心者にはわかりにくい切り替え方法しかなかったが、この片方の「Ａｌｔ」キーを「カタカナ、ひらがな、ローマ字」キーに統合しキーボードの回路と配線の一部を変更したＤＯＳ／Ｖ日本語キーボードでは、カナ入力に切り替えるのに「カタカナ、ひらがな、ローマ字」キー１つを押して切り替えればよいので、コンピュータの初心者にもカナ入力への切り替え方法がわかりやすくなっている。
【発明を実施するための最良の形態】
【０００７】カナ入力に切り替えるのを「Ａｌｔ」キーと「カタカナ、ひらがな、ローマ字」キーを併用して切り替える機能を前提として、普通のコンピュータのＤＯＳ／Ｖ日本語キーボードの左右に２つある「Ａｌｔ」キーの内、右側の「Ａｌｔ」キーの回路の接触端子をその隣にある「カタカナ、ひらがな、ローマ字」キーの下にその接触端子と並べて設置して、つまり、「Ａｌｔ」キーを左側の１つにして右側のもうひとつの「Ａｌｔ」キーは事実上「カタカナ、ひらがな、ローマ字」キーと統合させて「カタカナ、ひらがな、ローマ字」キー１つを押せばカナ入力に切り替わるような構造にして、その構造にした際、従来の「カタカナ、ひらがな、ローマ字」キーにあった他のキーと組み合わせて押すことで実行していた指示の機能を果たすためのこのキーの役割に関してや、従来のカナ入力への切り替え方法を知る人がこの統合後の「カタカナ、ひらがな、ローマ字」キーともうひとつの「Ａｌｔ」キーを重ねて押してしまった場合のその際の対処方法をどうするかという課題に関してキーボードのキーが押されることによって伝わってくる信号をデジタル処理でコンピュータが理解できる信号に変換する役割を持つキーボード内のマイクロプロセッサを含む回路のプログラムと配線のルートの設計を、「Ａｌｔ」キーが重ねて押されたり「Ａｌｔ」キーが余分に押されたりしてもその際の指示の機能を果たせるように、従来型のＤＯＳ／Ｖ日本語キーボードのその設計とは違った設計にして、上記の「カタカナ、ひらがな、ローマ字」キー１つを押しただけでカナ入力に切り替えられる機能を実現するための課題を克服し「カタカナ、ひらがな、ローマ字」キー１つを押せばカナ入力に切り替わるようにする。
【図面の簡単な説明】
【０００８】
【図１】［請求項１］記載のキーボードの最下段全体図（統合前）
【図２】［請求項１］記載のキーボードの最下段全体図（統合後）
【図３】［請求項１］記載のキーボードの基板
【符号の説明】
【０００９】１  統合前の「カタカナ、ひらがな、ローマ字」キーと右側の「Ａｌｔ」キー
２  片方の「Ａｌｔ」キーを統合した「カタカナ、ひらがな、ローマ字」キー
３  もう片方の「Ａｌｔ」キー
４  マイクロプロセッサ
５  キーボードの基板
６  「カタカナ、ひらがな、ローマ字」キーの下に並べて設置された「カタカナ、ひらがな、ローマ字」キーと右側の片方の「Ａｌｔ」キーの回路の接触端子
【手続補正３】
【補正対象書類名】図面
【補正対象項目名】全図
【補正方法】変更
【補正の内容】
【図１】
2006338634.tif 000005
【図２】
2006338634.tif 000006
【図３】
2006338634.tif 000007